(57)【特許請求の範囲】
【請求項１】
空調機に空気調和された空気が吹き出る空調吹出口の前方に配置され、前記空調吹出口から吹き出される空気を受ける面板部と、
前記面板部を前記空調吹出口の前方に取り付ける取付部と、
前記面板部に取り付けられる抗菌部材であって、殺菌性を有する物質である抗菌剤と、全面に微細孔を有する袋材に前記抗菌剤を収容する袋体と、前記袋体を収容し、前記空調吹出口から吹き出されて前記袋体を透過する空気の通気量を制限する通気口を有する筐体と、を有する抗菌部材と、を備え、
前記抗菌部材は、前記面板部の上側の面に載置され、
前記通気口は、前記空調吹出口から吹き出る空気の流れ方向に沿って長手方向が延在する楕円形状で前記筐体の上面に形成される、
空調吹出口の風向調整装置。
【請求項２】
前記通気口は、前記筐体に複数ある側面のうち、前記空調吹出口から吹き出る空気の流れに対向する上流側の側面と、前記上流側の側面の反対側に位置する下流側の側面とに形成される、
請求項１に記載の空調吹出口の風向調整装置。
【請求項３】
空調機に空気調和された空気が吹き出る空調吹出口の前方に配置され、前記空調吹出口から吹き出される空気を受ける面板部と、
前記面板部を前記空調吹出口の前方に取り付ける取付部と、
前記面板部に取り付けられる抗菌部材であって、殺菌性を有する物質である抗菌剤と、全面に微細孔を有する袋材に前記抗菌剤を収容する袋体と、前記袋体を収容し、前記空調吹出口から吹き出されて前記袋体を透過する空気の通気量を制限する通気口を有する筐体と、を有する抗菌部材と、を備え、
前記抗菌部材は、前記面板部の上側の面に載置され、
前記通気口は、前記筐体に複数ある側面のうち、前記空調吹出口から吹き出る空気の流れに対向する上流側の側面と、前記上流側の側面の反対側に位置する下流側の側面とに形成される、
空調吹出口の風向調整装置。
【請求項４】
前記抗菌剤は、多孔性の無機質固形担体に二酸化塩素を担持させた粒子状の抗菌剤であり、
前記袋材は、全面に前記無機質固形担体の粒径より小さな径の微細孔を有する、
請求項１から３の何れか一項に記載の空調吹出口の風向調整装置。
【請求項５】
前記抗菌部材は、薄板状の外形を有する、
請求項１から４の何れか一項に記載の空調吹出口の風向調整装置。
【請求項６】
前記筐体には、前記面板部に着脱自在な面ファスナーが設けられている、
請求項１から５の何れか一項に記載の空調吹出口の風向調整装置。
【請求項７】
前記取付部は、前記空調吹出口に対する前記面板部の取付角を調整可能な角度調整部を有する、
請求項１から６の何れか一項に記載の空調吹出口の風向調整装置。
【請求項８】
空調機に空気調和された空気が吹き出る空調吹出口の前方に配置され、前記空調吹出口から吹き出される空気を受ける面板部を有する風向調整装置の前記面板部に取り付けられる抗菌部材であって、
殺菌性を有する物質である抗菌剤と、
全面に微細孔を有する袋材に前記抗菌剤を収容する袋体と、
前記袋体を収容し、前記空調吹出口から吹き出されて前記袋体を透過する空気の通気量を制限する通気口を有する筐体と、を備え、
前記通気口は、前記抗菌部材が前記面板部の上側の面に載置された状態において、前記空調吹出口から吹き出る空気の流れ方向に沿って長手方向が延在する楕円形状で前記筐体の上面に形成される、
抗菌部材。
【請求項９】
前記通気口は、前記抗菌部材が前記面板部の上側の面に載置された状態において、前記筐体に複数ある側面のうち、前記空調吹出口から吹き出る空気の流れに対向する上流側の側面と、前記上流側の側面の反対側に位置する下流側の側面とに形成される、
請求項８の抗菌部材。
【請求項１０】
空調機に空気調和された空気が吹き出る空調吹出口の前方に配置され、前記空調吹出口から吹き出される空気を受ける面板部を有する風向調整装置の前記面板部に取り付けられる抗菌部材であって、
殺菌性を有する物質である抗菌剤と、
全面に微細孔を有する袋材に前記抗菌剤を収容する袋体と、
前記袋体を収容し、前記空調吹出口から吹き出されて前記袋体を透過する空気の通気量を制限する通気口を有する筐体と、を備え、
前記通気口は、前記抗菌部材が前記面板部の上側の面に載置された状態において、前記筐体に複数ある側面のうち、前記空調吹出口から吹き出る空気の流れに対向する上流側の側面と、前記上流側の側面の反対側に位置する下流側の側面とに形成される、
抗菌部材。
【発明の詳細な説明】
【技術分野】
【０００１】
本願は、空調吹出口の風向調整装置および抗菌部材を開示する。
【背景技術】
【０００２】
近年、ビルや店舗、病院、家屋等の各種建物には、室内の空気調和を行う空調機が設置されている。空調機には、天井や壁等に埋め込むタイプや、天井から吊り下げるタイプ、壁面に据え付けるタイプがあるが、何れも空気調和された空気を室内へ吹き出す空調吹出口が備わっている点で共通する。【０００３】
ところで、空気の比重が温度に反比例するため、暖かい空気は室内の上部に溜まる。また、冷たい空気は室内の下部に溜まる。よって、空調機は、例えば、冷房運転を行う場合には室内の上部に溜まる暖かい空気を効率的に吸い込んで空気調和できるように、空調吹出口から室内の下部へ向けて冷気を吹き出す。したがって、空調吹出口から吹き出る冷気が室内の人へ当たるのを避けるために、例えば、特許文献１に示すような、空調吹出口の風向を調整する器具が市販されている。
【先行技術文献】
【特許文献】
【０００４】
【特許文献１】実用新案登録第３１１４１７０号公報
【発明の概要】
【発明が解決しようとする課題】
【０００５】
近年、伝染病の集団感染や集団食中毒の発生等が報道機関で報じられ、公衆の衛生意識が高まりつつある。そして、室内を漂う病原菌を殺菌する各種の空間除菌用品が開発されている。【０００６】
ところで、従来より開発されている空間除菌用品の多くは、殺菌性の物質を能動的に拡散させるために送風機類を内蔵させた機械装置、或いは、殺菌性の物質を受動的に拡散させる単純構造の製品の何れかに大別される。しかし、前者の機械装置は、後者の単純構造の製品よりも概して高価であり、また、室内に設置される空調吹出口からの気流の影響を受けるので殺菌性の物質が性能通りに室内へ行き渡るか否かが定かでない。また、後者の単純構造の製品は、前者の機械装置より安価であるものの、殺菌性の物質の拡散が周囲の気流に委ねられるため、十分な除菌性能が発揮されるとは言い難い。【０００７】
そこで、本願は、殺菌性の物質を簡易な構成で室内へ効果的に拡散させることができる技術を提供することを課題とする。
【課題を解決するための手段】
【０００８】
上記課題を解決するため、本発明では、空調機に空気調和された空気が吹き出る空調吹出口の前方に配置され、前記空調吹出口から吹き出される空気を受ける面板部を有する風向調整装置用の前記面板部に、空気の通気量を制限する通気口を有する筐体に抗菌剤を収容した抗菌部材を配置することにした。【０００９】
詳細には、空調吹出口の風向調整装置であって、空調機に空気調和された空気が吹き出る空調吹出口の前方に配置され、前記空調吹出口から吹き出される空気を受ける面板部と、前記面板部を前記空調吹出口の前方に取り付ける取付部と、前記面板部に取り付けられる抗菌部材であって、殺菌性を有する物質である抗菌剤と、全面に微細孔を有する袋材に前記抗菌剤を収容する袋体と、前記袋体を収容し、前記空調吹出口から吹き出されて前記袋体を透過する空気の通気量を制限する通気口を有する筐体と、を有する抗菌部材と、を備える。【００１０】
上記の風向調整装置であれば、空調機の空調吹出口から強制的に吹き出される空気の流れで殺菌性の物質を拡散させることができるので、殺菌性の物質を拡散させるために送風機類を内蔵させた機械装置を用意する必要がない。また、殺菌性の物質を受動的に拡散させる単純構造の製品よりも確実に室内空間へ殺菌性の物質を行き渡らせることができるので、十分な除菌性能が期待できる。また、袋体を収容する筐体が袋体を透過する空気の通気量を制限するので、空調機の運転状態に応じて空調吹出口からの風量が変化しても徐放量の変動が抑制され、抗菌剤の効能を安定的に継続できる。【００１１】
また、前記抗菌剤は、多孔性の無機質固形担体に二酸化塩素を担持させた粒子状の抗菌剤であり、前記袋材は、全面に前記無機質固形担体の粒径より小さな径の微細孔を有するものであってもよい。多孔性の担体に二酸化塩素を吸着させたものであれば、空調吹出口から筐体の中へ流入した空気の流れによって二酸化塩素が微粒子表面から解離し、袋体の全面に形成された微細孔から袋体の外へ放出される。そして、筐体内の隙間に二酸化塩素が放出され、通気量を制限する通気口から筐体の外へ徐放される。【００１２】
また、前記抗菌部材は、前記面板部の上側の面に載置され、前記通気口は、前記空調吹出口から吹き出る空気の流れ方向に沿って長手方向が延在する楕円形状で前記筐体の上面に形成されるものであってもよい。また、前記抗菌部材は、前記面板部の上側の面に載置され、前記通気口は、前記筐体に複数ある側面のうち、前記空調吹出口から吹き出る空気の流れに対向する上流側の側面と、前記上流側の側面の反対側に位置する下流側の側面とに形成されるものであってもよい。このような抗菌部材を備える風向調整装置であれば、空調吹出口から吹き出た空気が筐体の内外を速やかに流通するので、殺菌性の物質が適正に徐放される。【００１３】
また、前記抗菌部材は、薄板状の外形を有するものであってもよい。このような抗菌部材を備える風向調整装置であれば、空調吹出口から吹き出る空気の流れが乱れにくいので、空調吹出口から吹き出る空気の向きを適正に調整可能である。【００１４】
また、前記筐体には、前記面板部に着脱自在な面ファスナーが設けられていてもよい。このような風向調整装置であれば、抗菌部材の交換が容易である。【００１５】
また、前記取付部は、前記空調吹出口に対する前記面板部の取付角を調整可能な角度調整部を有するものであってもよい。このような風向調整装置であれば、空調吹出口から吹き出る空気を所望の向きへ調整可能である。【００１６】
なお、本発明は、抗菌部材としての側面から捉えることもできる。すなわち、本発明は、空調機に空気調和された空気が吹き出る空調吹出口の前方に配置され、前記空調吹出口から吹き出される空気を受ける面板部を有する風向調整装置の前記面板部に取り付けられる抗菌部材であって、殺菌性を有する物質である抗菌剤と、全面に微細孔を有する袋材に前記抗菌剤を収容する袋体と、前記袋体を収容し、前記空調吹出口から吹き出されて前記袋体を透過する空気の通気量を制限する通気口を有する筐体と、を備えるものであってもよい。
【発明の効果】
【００１７】
本発明によれば、殺菌性の物質を簡易な構成で室内へ効果的に拡散させることができる。
【図面の簡単な説明】
【００１８】
【図１】図１は、空調機の空調吹出口から吹き出された空気の風向を調整する風向調整装置の取付状態の一例である。
【図２】図２は、風向調整装置の斜視図である。
【図３】図３は、抗菌部材の分解図の一例である。
【図４】図４は、抗菌部材の内部における空気の流れを示した図の一例である。
【発明を実施するための形態】
【００１９】
以下、本発明の実施形態について説明する。以下に示す実施形態は、本発明の一形態であり、本発明の技術的範囲を下記の実施形態に限定するものではない。
【００２０】
図１は、空調機１の空調吹出口２から吹き出された空気の風向を調整する風向調整装置３の取付状態の一例である。風向調整装置３は、図１に示すように、空調機に空気調和された空気が吹き出る空調吹出口２の前方に配置され、空調吹出口２から吹き出される空気を受けるウィングプレート４（本願でいう「面板部」の一例である）と、ウィングプレート４を空調吹出口２の前方に取り付けるためのアーム５（本願でいう「取付部」の一例である）とを備える。
【００２１】
図２は、風向調整装置３の斜視図である。ウィングプレート４は、プラスチックその他の合成樹脂で形成されており、その全体形状は、ほぼ長方形で浅底の容器のような形状をしている。また、ウィングプレート４は、その主面部６の一側縁を除き、長手方向両端縁及び残りの一側縁が、主面部６に対し直角に立設された壁部７，７，７を有する。また、ウィングプレート４は、当該壁部７，７，７が形成されていない一側縁に、主面部６に連続しかつ緩やかに湾曲する湾曲部８を有する。
【００２２】
主面部６の上面には、主面部６の長手方向に沿って等間隔で立設される補強リブ９，９が設けられており、浅底の容器状の全体形状を呈するウィングプレート４を３つの区画１０Ｌ，１０Ｃ，１０Ｒに仕切っている。そして、３つの区画１０Ｌ，１０Ｃ，１０Ｒのうち中心の区画を形成する区画１０Ｃの中央部付近には、アーム５を２軸で回動自在にウィングプレート４へ取り付けるためのフレキシブル継手１１（本願でいう「角度調整部」の一例である）が設けられている。また、３つの区画１０Ｌ，１０Ｃ，１０Ｒには、主面部６の下面が結露するのを防ぐ断熱用マット１２が敷かれている。但し、断熱用マット１２は省略可能である。なお、図２では、アーム５の上側が省略されているが、アーム５は、フレキシブル継手１１の上側で二股に割れており、図１に示したように天井と空調機１との境界付近に取り付けられている。
【００２３】
主面部６の上面には、抗菌部材１３が設けられている。なお、抗菌部材１３は、主面部６の上面に１つ以上設けられていればよい。すなわち、抗菌部材１３は、例えば、３つの区画１０Ｌ，１０Ｃ，１０Ｒのうち何れか１つまたは２つの区画に設けられていてもよいし、全ての区画に設けられていてもよい。
【００２４】
また、抗菌部材１３は、図２に示すように、断熱用マット１２の上に重ねて置いたボール紙１４に粘着材に貼着され、主面部６の上面に間接的に設けられている。しかし、抗菌部材１３は、例えば、断熱用マット１２に直接貼着してもよいし、断熱用マット１２が省略されたウィングプレート４の主面部６に直接貼着してもよい。また、抗菌部材１３は、粘着材で貼着されるのみならず、例えば、粘着材に代えて面ファスナーで着脱自在にウィングプレート４へ取り付けられてもよい。
【００２５】
図３は、抗菌部材１３の分解図の一例である。抗菌部材１３は、図３に示すように、袋体１５と筐体１６とを有する部材である。袋体１５には、室内を除菌する殺菌性の物質である抗菌剤１８が収容されている。また、筐体１６には、空調吹出口２から吹き出されて袋体１５を透過する空気の通気量を制限する通気口１７が設けられている。筐体１６は、ボール紙等の紙葉類で形成されていてもよいし、樹脂あるいはその他各種の素材で形成されていてもよい。なお、図３では、直方体の筐体１６が図示されているが、筐体１６は直方体に限定されるものではない。筐体１６は、例えば、立方体の筐体、曲面を有する筐体、三角形や五角形の面を有する筐体、その他のあらゆる形状を呈する筐体であってもよい。
【００２６】
通気口１７には、空調吹出口２から吹き出る空気の流れ方向に沿って長手方向が延在する楕円形状であり、筐体１６の上面に形成される上部通気口１７Ｕと、筐体の側面に形成される通気口であり、空調吹出口２から吹き出る空気の流れに対向する上流側の側面と、上流側の側面の反対側に位置する下流側の側面とに形成される側部通気口１７Ｓとがある。なお、図３では６つの上部通気口１７Ｕと６つの側部通気口１７Ｓが図示されているが、上部通気口１７Ｕや側部通気口１７Ｓの個数はこれに限定されるものでない。通気口１７の数、大きさ、形状は、空調吹出口２から吹き出る空気の流速や、袋体１５に収容されている抗菌剤１８の性状等に応じて適宜変更可能であり、室内空間へ拡散させる抗菌性物質の許容量や毒性などを考慮して決定される。
【００２７】
図４は、抗菌部材１３の内部における空気の流れを示した図の一例である。風向調整装置３では、空調吹出口２から吹き出された空気がウィングプレート４の主面部６の上面に沿って流れる。そして、筐体１６の上部通気口１７Ｕや側部通気口１７Ｓを通って筐体１６の内部に流入した空気が袋体１５を透過する。袋体１５を透過する空気の通気量は、上部通気口１７Ｕや側部通気口１７Ｓの数、大きさ、形状によって制限されている。よって、袋体１５を透過した空気は、適宜の量の抗菌性物質が添加された状態で抗菌部材１３の下流側へ流れる。抗菌部材１３の下流側へ流れた空気は、風向調整装置３が設置された室内空間へ拡散し、室内空間に浮遊する菌を抗菌性物質で殺菌する。
【００２８】
なお、筐体１６は、少なくとも筐体１６の内部に収容される袋体１５の周囲を空気が流通可能な程度の隙間が袋体１５と筐体１６内面との間に確保される程度の大きさを有することが好ましい。袋体１５と筐体１６との体積比としては、例えば、１：３〜１：１．２程度、さらには１：２〜１：１．２程度が好ましい。このような範囲とすることにより、袋体１５と筐体１６との間に適度な隙間を形成することができ、抗菌性物質の空気への放出性能を担保することができる。
【００２９】
また、袋体１５に収容される抗菌剤１８の具体例としては、例えば、多孔性の無機質固形担体に二酸化塩素を担持させた粒子状の抗菌剤が挙げられる。このような抗菌剤が収容される場合、袋体１５を形成する袋材としては、全面に当該無機質固形担体の粒径より小さな径の微細孔を有するものが好ましい。なお、ここでいう全面とは、概ね袋体１５の表面全体という程度の意味であり、微細孔が形成されていない領域を一部に有する袋体１５を排除するものではない。また、抗菌剤１８としては、二酸化塩素に代えて金属イオン等を放つ抗菌性の金属材料等を適用してもよい。
【００３０】
二酸化塩素を担持させる無機質固形担体としては、例えば、セピオライトからなる多孔性の微粒子が挙げられる。セピオライトからなる多孔性の微粒子に二酸化塩素を吸着させる方法としては、例えば、亜塩酸ナトリウム水溶液に無機酸を添加し、発生した混合体を亜塩素酸ナトリウム水溶液で洗浄することにより、混合体中の塩素を二酸化塩素に転化して二酸化塩素を生成し、これを無機質固形担体に吸着させる方法がある。セピオライトに吸着された二酸化塩素は、周囲の空気の振動などの物理的な力や微粒子同士の衝突により、セピオライトから解離する。
【００３１】
例えば、袋体１５に収容する抗菌剤１８として、セピオライトからなる多孔性の微粒子に二酸化塩素を吸着させたものを用いる場合、セピオライト微粒子に担持された二酸化塩素は、空調吹出口２から筐体１６の中へ流入した空気の流れによって微粒子表面から解離し、袋体１５の全面に形成された微細孔から袋体１５の外へ放出される。そして、袋体１５より体積が大きい筐体１６内の隙間に二酸化塩素が放出され、通気量を制限する通気口１７から筐体１６の外へ徐放される。二酸化塩素は比重が空気より重いので、室内空間へ放たれると室内の下部へ沈降する。よって、天井に設置される空調機１の空調吹出口２に設置する風向調整装置３の抗菌剤１８として用いると、室内空間全体を効果的に除菌できる。また、二酸化塩素は、健康への影響が懸念されているＰＭ（Particulate Matter：微小粒子状物質とも呼ばれ、例えば、ＰＭ２．５等がある）に取り付いて室内空間の下部へ沈降させる効能もある。
【００３２】
上記実施形態の風向調整装置３であれば、空調機１の空調吹出口２から強制的に吹き出される空気の流れで殺菌性の物質を拡散させることができるので、殺菌性の物質を拡散させるために送風機類を内蔵させた機械装置を用意する必要がない。また、殺菌性の物質を受動的に拡散させる単純構造の製品よりも確実に室内空間へ殺菌性の物質を行き渡らせることができるので、十分な除菌性能が期待できる。
【符号の説明】
【００３３】
１・・空調機
２・・空調吹出口
３・・風向調整装置
４・・ウィングプレート
５・・アーム
６・・主面部
７・・壁部
８・・湾曲部
９・・補強リブ
１０Ｌ，１０Ｃ，１０Ｒ・・区画
１１・・フレキシブル継手
１２・・断熱用マット
１３・・抗菌部材
１４・・ボール紙
１５・・袋体
１６・・筐体
１７・・通気口
１７Ｕ・・上部通気口
１７Ｓ・・側部通気口
１８・・抗菌剤
【要約】
空調吹出口の風向調整装置であって、空調機に空気調和された空気が吹き出る空調吹出口の前方に配置され、前記空調吹出口から吹き出される空気を受ける面板部と、前記面板部を前記空調吹出口の前方に取り付ける取付部と、前記面板部に取り付けられる抗菌部材であって、殺菌性を有する物質である抗菌剤と、全面に微細孔を有する袋材に前記抗菌剤を収容する袋体と、前記袋体を収容し、前記空調吹出口から吹き出されて前記袋体を透過する空気の通気量を制限する通気口を有する筐体と、を有する抗菌部材と、を備える。【図１】
0005840819.tif 000002
【図２】
0005840819.tif 000003
【図３】
0005840819.tif 000004
【図４】
0005840819.tif 000005